(57)【特許請求の範囲】
【請求項１】
人間が着席することができる座部と、該座部を支える脚部とからなり、折り畳み椅子として使用可能であって、
前記座部は、上面にサーフボードを置くことができるとともに、サーフボードを置いた時にサーフボードの底面と接触する受け部材が設けられており、
前記受け部材は弾性材料からなり、
前記脚部は、一対のパイプから形成されており、
前記座部は、前記一対のパイプ間に該パイプを覆うように張設された布からなり、
前記受け部材は、前記パイプを覆う筒状に形成されており、
前記布は、前記受け部材が取り付けられた部分において切り欠かれている
ことを特徴とするサーフボード置き具。
【請求項２】
前記受け部材は、着脱不能に取り付けられていることを特徴とする請求項１記載のサーフボード置き具。
【請求項３】
前記受け部材は、前記一対のパイプの対向する位置に取り付けられ、且つ夫々のパイプに対して複数個ずつ取り付けられていることを特徴とする請求項１又は２記載のサーフボード置き具。
【発明の詳細な説明】
【技術分野】
【０００１】
本発明は、サーフボードを傷つけずに置くことができる機能と折り畳み椅子としての機能を併せ持つサーフボード置き具に関する。
【背景技術】
【０００２】
従来、サーフィンをする時には、サーフボードは、波に乗るために海に持って行って使用するが、使用していない時（波に乗っていない時）には、そのまま砂浜に置くか、簡易的に立てかけるか、専用のボード置きに置く。
しかしながら、そのまま砂浜に置くとサーフボードに傷が付いたりへこんだりする虞があるため、図７に示すような専用のボード置きを使用する人が多い。
【０００３】
一般的に使用されているボード置き（Ｂ）は、図示のように２つを１組として使用し、サーフボード（Ａ）を下方から２点で支持するものである。
しかしながら、このボード置き（Ｂ）を使用する場合、２つのボード置き（Ｂ）をサーフボード（Ａ）の左右に置く必要があるため、使用者は海からあがってきた時に一旦サーフボードを砂浜に仮置きし、２つのボード置き（Ｂ）をバランス良い位置に立ててからサーフボードを置いている。
そのため、サーフボードを砂浜に仮置きすることにより傷が付いたりへこんだりする虞があるという問題や、２つのボード置きを左右にバランス良く置かないと使用できないために面倒であるという問題がある。
また、サーフボードを置くための機能しか有していないため、それ以外の用途には使用できないという欠点もある。
【０００４】
一方、下記特許文献１にはサーフボードを立てるためのスタンドが開示されている。
しかしながら、このスタンドはショールーム等でサーフボードを立てて展示するためのものであって、サーフボードを立てるための機能しか有していない。そのため、サーフボードスタンドとしての用途以外には使用できない。
また、このような従来のスタンドはサーフボードを安定して立たせることはできるが、サーフボードを寝かせて置くことはできない。
しかも、折り畳んでコンパクト化することができないため、広い設置スペースが必要となり、サーフボードスタンドとして使用しないときには邪魔になる。
【先行技術文献】
【特許文献】
【０００５】
【特許文献１】特開平１０−２５２９８５号公報
【発明の概要】
【発明が解決しようとする課題】
【０００６】
本発明は、上記したような従来技術の問題点を解決すべくなされたものであって、サーフボードをする海辺の砂浜等において、サーフボードを傷やへこみをつけることなく安定した状態で且つ面倒な作業を必要とせずに簡単に置くことができるとともに、サーフボードを置かない時には椅子として使用することができ、不使用時には折り畳んでコンパクト化することが可能であるサーフボード置き具を提供するものである。
【課題を解決するための手段】
【０００７】
請求項１に係る発明は、人間が着席することができる座部と、該座部を支える脚部とからなり、折り畳み椅子として使用可能であって、前記座部は、上面にサーフボードを置くことができるとともに、サーフボードを置いた時にサーフボードの底面と接触する受け部材が設けられており、前記受け部材は弾性材料からなり、前記脚部は、一対のパイプから形成されており、前記座部は、前記一対のパイプ間に該パイプを覆うように張設された布からなり、前記受け部材は、前記パイプを覆う筒状に形成されており、前記布は、前記受け部材が取り付けられた部分において切り欠かれていることを特徴とするサーフボード置き具に関する。
【０００８】
請求項２に係る発明は、前記受け部材は、着脱不能に取り付けられていることを特徴とする請求項１記載のサーフボード置き具に関する。
【０００９】
請求項３に係る発明は、前記受け部材は、前記一対のパイプの対向する位置に取り付けられ、且つ夫々のパイプに対して複数個ずつ取り付けられていることを特徴とする請求項１又は２記載のサーフボード置き具に関する。
【発明の効果】
【００１３】
請求項１に係る発明によれば、座部に人間が着席することもできるし、サーフボードを置くこともできるため、椅子としてもサーフボード置きとしても使用することが可能なサーフボード置き具となる。
また、折り畳み可能な構造を有していることから、不使用時には折り畳んでコンパクト化することができ、広い設置スペースを必要としない。
座部は、上面にサーフボードを置いた時にサーフボードの底面と接触する受け部材が設けられており、受け部材は弾性材料からなることから、座部の上面にサーフボードを傷付けずに安定して置くことができる。また、受け部材が滑り止めの機能を発揮することにより、座部上面に置かれたサーフボードが落下しにくい。
【００１５】
請求項１に係る発明によれば、脚部は一対のパイプから形成されており、座部は一対のパイプ間に該パイプを覆うように張設された布からなるため、軽量であって持ち運びやすいとともに、サーフボードが座部の受け部材以外の部分に当たったとしても、その部分は布により覆われているためサーフボードに傷が付くことが防がれる。しかも、１つのサーフボード置き具のみでサーフボードを簡単に安定した状態で置くことができるため、従来のボード置きを使用する場合のように面倒な作業を必要としない。
また、受け部材がパイプを覆う筒状に形成されており、布は受け部材が取り付けられた部分において切り欠かれていることから、受け部材がパイプに対して確実に位置決めされて取り付けられるとともに、パイプが露出してサーフボードを傷付けることが防止される。
【００１７】
請求項２に係る発明によれば、受け部材が着脱不能に取り付けられていることから、受け部材が脱落したり取り外されたりすることがなく、長期間に亘って確実にサーフボードを傷付けない機能を発揮することが可能となる。
【００１８】
請求項３に係る発明によれば、受け部材は一対のパイプの対向する位置に取り付けられ、且つ夫々のパイプに対して複数個ずつ取り付けられているから、サーフボードをバランス良く支持することが可能となり、サーフボードの落下を防ぐことができる。
【図面の簡単な説明】
【００１９】
【図１】本発明に係るサーフボード置き具の側面斜視図である。
【図２】本発明に係るサーフボード置き具の正面斜視図である。
【図３】本発明に係るサーフボード置き具を折り畳んだ状態を示す図である。
【図４】本発明に係るサーフボード置き具にサーフボードを置いた状態を示す図である。
【図５】受け部材を示す斜視図であり、（ａ）は第１実施例、（ｂ）は第２実施例である。
【図６】第２実施例の受け部材を使用した場合のサーフボード置き具の正面斜視図である。
【図７】従来のサーフボードを置くためのボード置きを示す図である。
【発明を実施するための形態】
【００２０】
以下、本発明に係るサーフボード置き具の好適な実施形態について、図面を参照しながら説明する。
図１は本発明に係るサーフボード置き具の側面斜視図、図２は本発明に係るサーフボード置き具の正面斜視図である。
【００２１】
本発明に係るサーフボード置き具（１）は、人間が着席することができる座部（２）と、座部（２）を支える脚部（３）とから構成されている。
脚部（３）は、コの字状に折り曲げられた一対（２本）の金属製パイプを組み合わせて形成されている。各パイプは、地面に対して斜め上方向に延びる脚基部（３１）と、脚基部（３１）の上端から略直角に曲がって地面に対して平行に延びる座部受け部（３２）とからなる。
一対の脚部（３）は、脚基部（３１）同士がクロスするように、その長さ方向中間部同士が軸（８）を介して接合されており（図２参照）、図３に示すように折り畳むことが可能となっている。
そのため、不使用時には折り畳んでコンパクト化することができ、広い設置スペースを必要としない。
【００２２】
座部（２）は、脚部（３）を構成する一対のパイプ間（具体的には一対の座部受け部（３２）間）に張設された布からなる。これにより、一対の座部受け部（３２）の間に、人間が座ることができ、折り畳み椅子として使用可能となる。
座部（２）を構成する布は、脚部（３）の座部受け部（３２）を構成するパイプの全部又は一部を覆うように取り付けられている。
【００２３】
座部（２）は、少なくとも２〜３人が並んで着席できる程度の長さと幅を有しており、上面にサーフボード（４）を安定して置くことができる。（図４参照）
具体的には、例えば、長さ（図１の左右方向）が１〜２ｍ程度、幅（図１の奥行き方向）が４０〜６０ｃｍ程度となるように設定することができるが、必ずしもこの範囲には限定されない。
【００２４】
座部（２）の上面には、サーフボード（４）を置いた時にサーフボードの底面と接触する受け部材（５）が設けられている。
受け部材（５）はゴム等の弾性材料から形成されている。
サーフボード（４）は、座部（４）の上面に置いた時に、受け部材（５）の厚み分だけ座部（２）の上面から浮き、受け部材（５）にのみ接触する状態となる。これにより、サーフボード（４）が傷付くことが防がれるとともに、受け部材（５）が滑り止めの機能を発揮するためサーフボード（４）が落下しにくい。
受け部材（５）の上面（図２に符号（５ａ）で示す面）は平らに形成されていることが好ましい。これにより、サーフボード（４）との接触面積が大きくなり、サーフボードを一層安定して支持することが可能となる。
【００２５】
図５は受け部材（５）を示す斜視図であり、（ａ）は第１実施例、（ｂ）は第２実施例である。
第１実施例の受け部材（５）は、円筒の長さ方向に切れ目（７）を入れた断面略Ｃ字状の形状を有しており、布及びパイプを把持するように取り付けられる。具体的には、布で覆われたパイプの一対の座部受け部（３２）を、側方から把持するように取り付けられる。（図２参照）
上述した通り、受け部材（５）はゴム等の弾性材料から形成されているため、切れ目（７）部分を拡げることにより簡単に取り外すことができ、再び取り付けることも容易である。また、取り付けた状態では弾性力により布及びパイプをしっかりと把持するため、脱落しにくい。
【００２６】
第２実施例の受け部材（５）は、円筒状であってパイプの外周面を覆うように取り付けられる。この様な円筒状の受け部材（５）を使用する場合、座部（２）を構成する布は、受け部材（５）が取り付けられた部分において切り欠かれる。（図６参照）
これにより、受け部材（５）がパイプに対して確実に位置決めされて取り付けられるとともに、パイプが露出してサーフボードを傷付けることが防止される。また、受け部材（５）が着脱不能となることから、受け部材（５）が脱落したり取り外されたりすることがなく、長期間に亘って確実にサーフボードを傷付けない機能を発揮することが可能となる。
【００２７】
受け部材（５）は、一対のパイプ（具体的には座部受け部（３２））の対向する位置に取り付けられ、且つ夫々のパイプに対して複数個ずつ（図示例では２個ずつ）間隔をあけて取り付けられている。
これにより、サーフボード（４）の底面と少なくとも４点で接触するため、サーフボードをバランス良く支持することが可能となり、サーフボードが落下して傷付いたりへこんだりすることを防ぐことができる。
【００２８】
本発明に係るサーフボード置き具において、座部（２）に置かれるサーフボードはロングボードであってもショートボードであってもよい。ロングボードに対応できるようにする場合には座部を長めにし、ショートボード専用とする場合には座部を短めにすればよい。但し、いずれの場合でも、サーフボードを安定して支持できるように、座部（２）の長さはサーフボード全長の少なくとも３分の１以上とすることが好ましく、２分の１以上とすることがより好ましい。
【産業上の利用可能性】
【００２９】
本発明は、サーフィンをする時に海辺の砂浜等に設置し、サーフボード置きとして使用したり、椅子（ベンチ）として使用したりすることが可能である。
【符号の説明】
【００３０】
１      サーフボード置き具
２      座部
３      脚部
３１    脚基部
３２    座部受け部
４      サーフボード
５      受け部材
７      切れ目
【要約】      （修正有）【課題】サーフボードをする海辺の砂浜等において、サーフボードを傷やへこみをつけることなく安定した状態で且つ面倒な作業を必要とせずに簡単に置くことができるとともに、サーフボードを置かない時には椅子として使用することができ、不使用時には折り畳んでコンパクト化することが可能であるサーフボード置き具を提供する。【解決手段】人間が着席することができる座部２と、該座部２を支える脚部３とからなり、折り畳み椅子として使用可能であって、前記座部は、上面にサーフボードを置くことができるとともに、サーフボードを置いた時にサーフボードの底面と接触する受け部材５が設けられており、前記受け部材５は弾性材料からなることを特徴とするサーフボード置き具１とする。【選択図】図１【図１】
0004834182.tif 000002
【図２】
0004834182.tif 000003
【図３】
0004834182.tif 000004
【図４】
0004834182.tif 000005
【図５】
0004834182.tif 000006
【図６】
0004834182.tif 000007
【図７】
0004834182.tif 000008